(57)【要約】【課題】  複数面の植生に好適で、意匠性に優れた多面緑化体用容器を提供すること。【解決手段】    薄厚の基盤マットに植物を植生した植生ブロックマットを収容すると共に、植生基盤を充填して複数の面に植生した多有孔構造の多面緑化体用容器であって、一対のＬ形網２１と、一対のＬ形網２１の側方を閉鎖する一対の側網２２と、Ｌ形網２１と側網２２の突合せ箇所を連結する連結手段２３とよりなり、前記Ｌ形網と側網の少なくとも側面部を凹凸状の網体で形成した。【選択図】図３
0003106160.tif 000002
【実用新案登録請求の範囲】
【請求項１】
薄厚の基盤マットに植物を植生した植生ブロックマットを収容すると共に、植生基盤を充填して複数の面に植生した多有孔構造の多面緑化体用容器であって、
一対のＬ形網と、
前記一対のＬ形網の側方を閉鎖する一対の側網と、
前記Ｌ形網と側網の突合せ箇所を連結する連結手段とよりなり、
前記Ｌ形網と側網の少なくとも側面部を凹凸状の網体で形成したことを特徴とする、
多面緑化体用容器。
【請求項２】
薄厚の基盤マットに植物を植生した植生ブロックマットを収容すると共に、植生基盤を充填して複数の面に植生した多有孔構造の多面緑化体用容器であって、
一対の側網とひとつの底部を一体に形成したコ形網と、
前記一対のＬ形網の側方を閉鎖する一対の側網と、
前記コ形網と側網の突合せ箇所を連結する連結手段とよりなり、
前記Ｌ形網と側網の少なくとも側面部を凹凸状の網体で形成したことを特徴とする、
多面緑化体用容器。
【請求項３】
請求項１または請求項２において、Ｌ形網と側網が、凹凸を有する複数の屈曲線材と複数の直線状線材とを交差させて形成した溶接金網製であることを特徴とする、多面緑化体用容器。
【請求項４】
請求項１乃至請求項３の何れかにおいて、連結手段が連結コイルであって、前記連結コイルの内径を、Ｌ形網と側網を夫々構成する縦線材の凹凸に内接可能な寸法に形成したことを特徴とする、多面緑化体用容器。
【請求項５】
請求項１乃至請求項４の何れかにおいて、底部の下面に走行輪を設けたことを特徴とする、多面緑化体用容器。
【考案の詳細な説明】
【技術分野】
【０００１】
本考案は多数の面に植物を立体的に植生するための多面緑化体用容器に関するものである。
【背景技術】
【０００２】
各種植物を植生する鉢容器としては、多種多様の形状や寸法のものが提案され、またその素材も陶器製、樹脂製、木製等多種多様である。
これら従来の鉢容器を構造的に見た場合は、周囲を周壁で囲み上部を開放した構造である点で共通している。
【考案の開示】
【考案が解決しようとする課題】
【０００３】
従来の鉢容器にはつぎのような改善すべき点がある。
（１）植物を植生できる場所は、鉢容器上部の開放されたひとつの平面だけであるため、物足りなさを感じる。
（２）多種類の植物を植生したり、広い植生面積を得るためには、大形サイズの鉢容器を使用するか、或いは鉢容器の数を増やして対応しているが、何れの場合も広いスペースを必要とする。
【０００４】
本考案は以上の点に鑑みて成されたもので、その目的とするところは、つぎの何れかひとつの多面緑化体用容器を提供することにある。
（１）複数面の植生に好適な多面緑化体用容器を提供すること。
（２）意匠性に優れた多面緑化体用容器を提供すること。
（３）植物の絡みつきがし易い多面緑化体用容器を提供すること。
（４）格納性や運搬性に優れた多面緑化体用容器を提供すること。
（５）移動が容易な多面緑化体用容器を提供すること。
【課題を解決するための手段】
【０００５】
本考案に係る多面緑化体用容器は、薄厚の基盤マットに植物を植生した植生ブロックマットを収容すると共に、植生基盤を充填して複数の面に植生した多有孔構造の多面緑化体用容器であって、一対のＬ形網と、前記一対のＬ形網の側方を閉鎖する一対の側網と、前記Ｌ形網と側網の突合せ箇所を連結する連結手段とよりなり、前記Ｌ形網と側網の少なくとも側面部を凹凸状の網体で形成したことを特徴とするものである。
また本考案に係る多面緑化体用容器は、薄厚の基盤マットに植物を植生した植生ブロックマットを収容すると共に、植生基盤を充填して複数の面に植生した多有孔構造の多面緑化体用容器であって、一対の側網とひとつの底部を一体に形成したコ形網と、前記一対のＬ形網の側方を閉鎖する一対の側網と、前記コ形網と側網の突合せ箇所を連結する連結手段とよりなり、前記Ｌ形網と側網の少なくとも側面部を凹凸状の網体で形成したことを特徴とするものである。
また本考案は前記した何れかの多面緑化体用容器において、Ｌ形網と側網が、凹凸を有する複数の屈曲線材と複数の直線状線材とを交差させて形成した溶接金網製であることを特徴とするものである。
また本考案は前記した何れかの多面緑化体用容器において、連結手段が連結コイルであって、前記連結コイルの内径を、Ｌ形網と側網を夫々構成する縦線材の凹凸に内接可能な寸法に形成したことを特徴とするものである。
また本考案は前記した何れかの多面緑化体用容器において、底部の下面に走行輪を設けたことを特徴とするものである。
【考案の効果】
【０００６】
本考案は少なくともつぎのひとつの効果を得ることができる。
（１）多面緑化体用容器の複数の側面面にも植物を立体的に植生できるので、多面緑化体に好適な専用容器を提供することが可能となる。
（２）単なる溶接金網ではなく凹凸形状を付与した溶接金網で形成することで、側面に線材の凹凸による厚みがでて、意匠性に優れているため、多面緑化体用容器を見る者に新鮮な印象を与えることができる。
（３）多面緑化体用容器の側面を凹凸状に形成することで、多面緑化体用容器の内側に収容する植生ブロックマットから溶接金網の凸部までの間に空間が形成されることになり、この空間を利用して蔦等の植物が線材に絡みつき易くなる。
（４）多面緑化体用容器を組み立て式に構成すると共に、Ｌ形網を積み重ね可能な形状にしたことで、多面緑化体用容器の格納性と運搬性がよくなる。
（５）多面緑化体用容器に走行輪を設けたことで、多面緑化体が多少重たくなっても容易に移動することができる。
【考案を実施するための最良の形態】
【０００７】
以下に図面を参照しながら本考案の最良の形態について説明する。
（１）多面緑化体
図１に多面緑化体の斜視図を示し、図２にその縦断面図を示す。
多面緑化体は有孔構造の多面緑化体用容器２０と、多面緑化体用容器２０の少なくとも側面の内側に設置した複数の植生ブロックマット５と、植生ブロックマット５の内方に充填した無機質の植生基盤３０とよりなる。
以降に主要な構成部材について説明する。
【０００８】
（２）多面緑化体用容器
多面緑化体用容器２０は方形を呈する複数の側面と、これらの側面の下部を閉鎖する底面とを有する有孔構造の箱体で、所定の間隔を隔てて配置した縦横線の交差部を溶接した溶接金網で構成する。
【０００９】
図３に例示した多面緑化体用容器２０は、溶接金網製の一対のＬ形網２１，２１と、溶接金網製の一対の側網２２，２２と、連結手段２３とよりなる。
Ｌ形網２１は側面部２１ａと分割底部２１ｂの一端を突き合わせたＬ字形の網体で、一対のＬ形網２１，２１の分割底部２１ｂを相互に付き合わせたときに、一対の側面とひとつの底面を形成できるようになっている。
容器２０の底部を二分した分割底部２１ｂの分割位置は図示するように均等に分割にすると、複数のＬ形網２１を積み重ねたときの出っ張りがなくなり格納や保管に便利である。底部を任意の位置で二分した異形のＬ形網２１を組み合わせてもよい。
【００１０】
Ｌ形網２１の側面部２１ａと側網２２は、縦横の一方の線材を凹凸形状に屈曲した屈曲線材で形成し、屈曲線材と交差方向に配置する線材を直線状線材で形成し、多面緑化体用容器２０の側面が凹凸上を呈するように形成してある。本例ではＬ形網２１の分割底部２１ｂを平面状に形成した場合について示すが、側面と同様に凹凸状に形成してもよい。
【００１１】
側網２２の縦線下部は内側に屈曲して鉤部２２ａを形成し、この鉤部２２ａで一対の分割底部２１ｂ，２１ｂの間に跨って掛止して連結し得るようになっている。
【００１２】
なお、多面緑化体用容器２０の素材はその他に、凹凸のない溶接金網や、一般の金網、エキスパンドメタル、有孔板等も使用可能である。
【００１３】
（３）組立
一対のＬ形網２１，２１をコ字形に対向配置し、その開放部を一対の側網２２，２２で閉鎖する。側網２２の下部の鉤部２１ａを一対の分割底部２１ｂ，２１ｂに掛止する。
Ｌ形網２１の側面部２１ａと側網２２の両側縁を突合せた四箇所を連結コイルよりなる連結手段２３を巻き付けて連結することで直方体に形成する。
図４に示すように突き合わせたＬ形網２１の側面部２１ａと側網２２の間を連結するにあたり、縦線の凹凸量に合わせて連結手段２３の内径を予め設定しておき、縦線の凹凸部がコイル状の凹凸連結手段２３に内接してガタツキのない状態で連結する。
【００１４】
このようにして組み立てた多面緑化体用容器２０内には、図２に示すように、植生ブロックマット５を収容し、多面緑化体用容器２０の側面に配置する。植生ブロックマット５は薄厚の基盤マットに植物を植生したマット状物で、予め生育環境の整った場所で自然に近い形態で育成したものである。
側面２１全面を植生ブロックマット５で囲ったら、その内側に無機質の植生基盤３０を大量に投入して、多面緑化体用容器２０の複数の面に植物を立体的に生やした多面緑化体を得る。
尚、無機質の植生基盤としては、例えば市販の無機質１００％のアクアソイル（株式会社イケガミ社製）が好適である。
多面緑化体用容器２０の各側面２１に設置する複数の植生ブロックマット５の組み合わせは、同種植物の組み合わせ、異種植物の組み合わせの何れでもよい。
多面緑化体用容器２０の上面は、植生ブロックマット５を水平に設置するか、または植生ブロックマット５とは別に無機質の植生基盤３０に植物を直接植生するか、または何も植生しない。
【００１５】
植生ブロックマット５は無機質の植生基盤３０に植え替えられたことで、植物の根系が植生基盤３０に徐々に進入し、植物は無機質の植生基盤３０を基に時間をかけてゆっくりと健全に生育する。
【００１６】
多面緑化体用容器２０の側面を凹凸形状の溶接金網で厚みを持たせて形成してあるので、図５に拡大して示すように植生ブロックマット５の表面から溶接金網の凸部までの間に空間が形成されることになり、この空間を利用して蔦等の植物が、植生ブロックマット５の表面から離隔した縦横方向の線材に絡みつき易くなって、植物が生育するうえで良好な環境となる。
【００１７】
（４）その他の形態１
図６に他の多面緑化体用容器２０を示す。本例は同図の（ａ）に示すようなコ字形を呈する一対のコ形網２４と、同図の（ｂ）に示すような溶接金網製の一対の側網２２と、既述した連結手段２３とにより構成するもので、前記した実施の形態の図３で示したＬ形網２１，２１を一体に形成したものである。
コ形網２４は一対の対向する側網部２４ａ，２４ａとひとつの底部２４ｂを具備する。
多面緑化体用容器２０を溶接金網で形成することや、少なくとも側面に相当する部位を凹凸状に形成することは既述した形態と同様である。
【００１８】
（５）その他の形態２
また図７に示すように多面緑化体用容器２０の底面にキャスター等の走行輪２５を設けて多面緑化体用容器２０を移動可能に構成してもよい。
多面緑化体用容器２０に走行機能を付与することで、多面緑化体の運搬移動性がよくなる。
【００１９】
（６）その他の形態３
図８に植生ブロックマット５を用いないで多面緑化体用容器２０を植生した他の形態を示す。
本例は既述した多面緑化体用容器２０の側面の内側にヤシマットや遮水シート等のシート状物６を配置し、その後にシート状物６の内側全域に無機質の植生基盤３０を詰めたもので、植物は多面緑化体用容器２０の上面に露出する植生基盤３０に植生することは勿論のこと、シート状物６に必要な大きさの穴を開けて植物を植えることで、多面緑化体用容器２０の複数の側面にも植生することが可能である。
【００２０】
尚、多面緑化体用容器２０の平面形状は四角形に限定されず、四角形以外の多角形、円形、楕円形等を含むものである。
【図面の簡単な説明】
【００２１】
【図１】多面緑化体の斜視図
【図２】多面緑化体の縦断面図
【図３】本考案の多面緑化体用容器の組み立て図
【図４】多面緑化体用容器の連結部の断面図
【図５】多面緑化体用容器の側面と植生ブロックマット間の部分拡大図
【図６】他の多面緑化体用容器の説明図で、（ａ）はコ形網の側面図、（ｂ）は側網の側面図
【図７】他の多面緑化体用容器の説明図で、走行輪を設けた容器の下部の部分拡大図
【図８】植生ブロックマットを用いない植生形態を説明するための多面緑化体の断面図
【符号の説明】
【００２２】
５・・・植生ブロックマット
２０・・・多面緑化体用容器
２１・・・Ｌ形網
２１ａ・・・側面部
２１ｂ・・・分割底部
２２・・・側面
２２ａ・・・鉤部
２３・・・連結手段（連結コイル）
２４・・・コ形網
２５・・・走行輪
３０・・・無機質の植生基盤
【図１】
0003106160.tif 000003
【図２】
0003106160.tif 000004
【図３】
0003106160.tif 000005
【図４】
0003106160.tif 000006
【図５】
0003106160.tif 000007
【図６】
0003106160.tif 000008
【図７】
0003106160.tif 000009
【図８】
0003106160.tif 000010